【手続補正書】
【提出日】平成22年3月8日(2010.3.8)
【手続補正１】
【補正対象書類名】特許請求の範囲
【補正対象項目名】全文
【補正方法】変更
【補正の内容】
【特許請求の範囲】
【請求項１】
層流微小流体デバイス（１００）内のカンチレバー型同軸フロー射出器であって、
前記層流微小流体デバイス（１００）に組み込まれる細長いカンチレバー構成要素（３５）と、
前記細長いカンチレバー構成要素（３５）を通る同軸チャネル（２００）であって、所定のサイズの粒子（２３７）を通過させるような大きさになっている、前記同軸チャネルと、
前記細長いカンチレバー構成要素（３５）に結合され、前記細長いカンチレバー構成要素（３５）を駆動するアクチュエータ（３４）と、
を備える、カンチレバー型同軸フロー射出器。
【請求項２】
前記駆動する手段は、圧電性屈曲デバイスと、磁界発生器と、電磁素子と、静電引力デバイスとから成る群から選択される前記アクチュエータ（３４）を備える、請求項１に記載のカンチレバー型同軸フロー射出器。
【請求項３】
前記細長いカンチレバー構成要素（３５）は、ワイヤ、鉄コーティング、埋め込まれる鉄材料、及びニッケルワイヤのうちの少なくとも１つを組み込む、請求項１に記載のカンチレバー型同軸フロー射出器。
【請求項４】
前記同軸チャネル（２００）は、層流内で生物細胞（１）を通過させるような大きさになっている、請求項１に記載のカンチレバー型同軸フロー射出器。
【請求項５】
前記細長いカンチレバー構成要素（３５）は、前記微小流体デバイス（１００）内で前記粒子（２３７）を複数の層流の層に分配するように駆動されるようになっている、請求項１に記載のカンチレバー型同軸フロー射出器。
【請求項６】
前記同軸チャネル（２００）は、１００μｍ〜１ｍｍの範囲の直径を有する、請求項１に記載のカンチレバー型同軸フロー射出器。
【請求項７】
前記同軸チャネル（２００）は、５０μｍ〜１ｍｍの範囲の直径を有する、請求項１に記載のカンチレバー型同軸フロー射出器。
【請求項８】
微小流体チャネル内で粒子（２３７）を分類するシステムであって、
検出情報を生成する粒子検出システム（１２）と、
前記粒子検出システム（１２）に電気的に結合される流体制御システム（１０）であって、前記粒子検出システム（１２）から受信される情報に応答して分類制御信号（１９）を提供するように構成される、前記流体制御システム（１０）と、
前記流体制御システム（１０）に結合される流体フロー駆動システム（５）と、
サンプル保持チャネル（３０）と、検査領域（３２）と、該検査領域（３２）の下流のカンチレバー型同軸フロー射出器（３５）と、少なくとも２つの出力チャネル（３８、４０）とを備える、微小流体デバイス（１００）と、
前記分類制御信号（１９）を受信するように結合される分類アクチュエータ（３４）であって、前記カンチレバー型同軸フロー射出器（３５）を駆動するように配置される、前記分類アクチュエータ（３４）と、
を備える、微小流体チャネル内で粒子を分類するシステム。
【請求項９】
前記システムは、前記検査領域（３２）に前記粒子（２３７）を送るように結合される流体力学的な焦点セル（hydrodynamic focus cell）（３７）をさらに含み、該流体力学的な焦点セル（３７）は前記粒子（２３７）を中心に置く、請求項８に記載のシステム。
【請求項１０】
前記粒子検出システム（１２）は、電気検知領域システムと、光散乱検出システムと、蛍光検出システムと、光学スペクトル検出システムと、光画像捕捉・処理システムと、顕微鏡システムと、光トモグラフィシステムとから成る群から選択される、請求項８に記載のシステム。
【請求項１１】
前記流体フロー駆動システム（５）は、少なくとも１つの流体容器と、該少なくとも１つの流体容器に結合される少なくとも１つの流体ポンプと、該流体ポンプと前記微小流体チャネルとに結合される少なくとも１つの真空ポンプとを備える、請求項８に記載のシステム。
【請求項１２】
前記流体フロー駆動システム（５）は、層流状態を提供するように、正の変位若しくは圧力、及び／又は真空圧力を用いて流体駆動力を送る、請求項８に記載のシステム。
【請求項１３】
前記層流状態は栓流を含む、請求項１２に記載のシステム。
【請求項１４】
前記粒子（２３７）は生物細胞（１）を含む、請求項８に記載のシステム。
【請求項１５】
前記分類制御信号（１９）は、前記カンチレバー型同軸フロー射出器（３５）を駆動して、前記生物細胞（１）を前記少なくとも２つの出力チャネル（３８、４０）のうちの選択される１つのチャネルに分類する、請求項８に記載のシステム。
【請求項１６】
前記カンチレバー型同軸フロー射出器（３５）は、前記少なくとも２つの出力チャネル（３８、４０）のうちの選択される１つのチャネル内で、前記粒子（２３７）を層流ストリームの選択された層へと送達するように屈曲する、請求項１５に記載のシステム。
【請求項１７】
前記分類アクチュエータ（３４）は、圧電性屈曲デバイスと、磁界発生器と、電磁石と、静電引力デバイスとから構成される群から選択される、請求項８に記載のシステム。
【請求項１８】
前記カンチレバー型同軸フロー射出器（３５）は、ワイヤ、鉄コーティング、埋め込まれる鉄材料、及びニッケルワイヤのうちの少なくとも１つを組み込む、請求項８に記載のシステム。
【請求項１９】
微小流体層流経路内で粒子（２３７）を分類する方法であって、
複数の粒子を組込み微小流体デバイス（１００）内の層流経路内で輸送するステップ（３０２）と、
前記層流経路内で前記複数の粒子の特徴を検出するステップ（３０３）と、
前記検出された特徴に応答して検出情報を生成するステップ（３０５）と、
前記検出情報に基づいて、選択された粒子の分類判断を行うステップ（３０６）と、
前記選択された粒子を、前記サンプル保持チャネルの下流のカンチレバー型同軸フロー射出器（３５）に射出するステップと、
前記分類判断に応答して、前記選択された粒子を、少なくとも２つの出力チャネル（３８、４０）のうちの１つのチャネルを通じて前記層流経路の選択された層に導く（３０８）ために、前記カンチレバー型同軸フロー射出器（３５）上で動作する分類アクチュエータ（３４）に分類制御信号を提供するステップと、
を含む、微小流体フロー経路内で粒子を分類する方法。
【請求項２０】
前記輸送するステップは、前記層流経路内で前記複数の粒子（２３７）を流体力学的に合焦することをさらに含む、請求項１９に記載の方法。
【請求項２１】
前記特徴を検出するステップ（３０３）は、散乱特性を含む特徴を検出する光散乱検出システム、蛍光特性を含む特徴を検出する蛍光検出システム、撮像特性及び光画像捕捉を含む特徴を検出する顕微鏡システム、撮像特性を含む特徴を検出する光トモグラフィシステム、並びに撮像特性を含む特徴を検出する処理システムのうちの少なくとも１つを操作することを含む、請求項１９に記載の方法。
【請求項２２】
光画像捕捉・処理システムを駆動するステップは、前記層流経路内でカメラ（１５１）によって前記粒子（２３７）の画像を捕捉するステップを含む、請求項２１に記載の方法。
【請求項２３】
前記光画像捕捉・処理システムは、前記分類判断を行う対象物認識ソフトウエアプログラムをさらに含む、請求項２１に記載の方法。
【請求項２４】
前記層流経路内で前記粒子（２３７）を輸送するステップは、ポンプ制御信号（２０）と真空制御信号（２２）とを提供するために流体制御システム（１０）を操作すること、及び、流体フローを駆動するために流体駆動システム（５）を使用することを含む、請求項１９に記載の方法。
【請求項２５】
前記カンチレバー型同軸フロー射出器（３５）は、前記粒子（２３７）を層流ストリームの前記選択された層（３８、４０）に送達するように屈曲する、請求項１９に記載の方法。
【請求項２６】
前記分類アクチュエータ（３４）は、圧電性屈曲デバイスと、磁界発生器と、電磁石と、静電引力デバイスとから成る群から選択される、請求項１９に記載の方法。
【請求項２７】
前記カンチレバー型同軸フロー射出器（３５）は、ワイヤ、鉄コーティング、埋め込まれる鉄材料、及びニッケルワイヤのうちの少なくとも１つを組み込む、請求項１９に記載の方法。
【請求項２８】
前記粒子（２３７）は生物細胞（１）を含む、請求項１９に記載の方法。
【請求項２９】
層流経路内で粒子（２３７）を分類する微小流体デバイス（１００）であって、
サンプル保持チャネル（３０）と、該サンプル保持チャネル（３０）の下流のカンチレバー型同軸フロー射出器（３５）と、少なくとも２つの出力チャネル（３８、４０）とを備える、微小流体チップ（１０１）を備え、
前記カンチレバー型同軸フロー射出器（３５）は、該カンチレバー型同軸フロー射出器（３５）を通じて流れる粒子を選択された層に導くために、分類制御信号（１９）を送信して該カンチレバー型同軸フロー射出器（３５）を駆動するように分類アクチュエータ（３４）に結合されるように配置される、微小流体デバイス。
【請求項３０】
前記分類アクチュエータ（３４）は、圧電性屈曲デバイスと、磁界発生器と、電磁石と、静電引力デバイスとから成る群から選択される、請求項２９に記載の微小流体デバイス（１００）。
【請求項３１】
前記カンチレバー型同軸フロー射出器（３５）は、磁性体材料、ワイヤ、及び磁性コーティングのうちの少なくとも１つを組み込む、請求項３０に記載の微小流体デバイス（１００）。
【請求項３２】
前記サンプル保持チャネル（３０）は生物細胞（１）を含む、請求項２９に記載の微小流体デバイス（１００）。
【請求項３３】
前記カンチレバー型同軸フロー射出器（３５）は、前記分類制御信号（１９）に応答して屈曲して、前記少なくとも２つの出力チャネル（３８、４０）のうちの１つのチャネル内の層流ストリームの選択された層に、前記粒子（２３７）を送達する、請求項２９に記載の微小流体デバイス（１００）。